(57)【要約】      （修正有）【課題】中空のソフトルアーに、ユーザが希望する様々なオプション部品の取付を可能とするルアーを提供する。【解決手段】本発明は、中空ソフトボディ１１とインナーコア２１とを具えるソフトルアー１であって、中空ソフトボディ１１が、インナーコア挿入孔１２を有し、インナーコア２１が、中空ソフトボディ１１内に配置されて、中空ソフトボディ１１と接していることを特徴とする。インナーコア挿入孔１２を中空ソフトボディ１１に設けることによって、中空ソフトボディ１１の成形の工程のあとで、インナーコア２１を中空ソフトボディ１１内に挿入し、ユーザが希望するオプション部品をインナーコア２１に固定してソフトルアー１に取り付けることが可能となる。【選択図】図２
2018099104.tif 000002
【特許請求の範囲】
【請求項１】
中空ソフトボディとインナーコアとを具えるソフトルアーであって、
前記中空ソフトボディが、インナーコア挿入孔を有し、
前記インナーコアが、前記中空ソフトボディ内に配置されて、当該中空ソフトボディと接していることを特徴とするソフトルアー。
【請求項２】
請求項１に記載のソフトルアーが、さらにヒートン金具を具え、
当該ヒートン金具が、前記中空ソフトボディを介して前記インナーコアに固定されており、前記インナーコアが、前記ヒートン金具により前記中空ソフトボディに固定されていることを特徴とするソフトルアー。
【請求項３】
請求項２に記載のソフトルアーにおいて、
前記ヒートン金具が、オプション部品を介して前記インナーコアに固定されており、前記オプション部品が前記インナーコアに固定されていることを特徴とするソフトルアー。
【請求項４】
請求項１乃至３のいずれか１項に記載のソフトルアーにおいて、
前記インナーコアが、
細長い棒状の芯材と、
前記芯材の両端に配置された口側部分および尾側部分と、
前記口側部分と尾側部分の間から下方に延在する腹側部分とを具え、
前記口側部分、尾側部分および腹側部分のそれぞれにおいて前記インナーコアと中空ソフトボディが当接していることを特徴とするソフトルアー。
【請求項５】
請求項４に記載のソフトルアーにおいて、
前記口側部分、尾側部分および腹側部分のそれぞれにヒートン金具が固定されていることを特徴とするソフトルアー。
【請求項６】
請求項４または５に記載のソフトルアーにおいて、
前記インナーコアの前記口側部分と腹側部分と尾側部分との各々に、ヒートン金具取付用孔が設けられていることを特徴とするソフトルアー。
【請求項７】
請求項４乃至６のいずれか１項に記載のソフトルアーにおいて、
前記中空ソフトボディが、前記インナーコアの前記口側部分と腹側部分と尾側部分と接する場所の少なくとも１箇所において、陥凹部を有することを特徴とするソフトルアー。
【請求項８】
請求項２乃至７のいずれか１項に記載のソフトルアーにおいて、
少なくとも１つの前記ヒートン金具のリング部に、釣り針フックが取り付けられていることを特徴とするソフトルアー。
【請求項９】
請求項４乃至７のいずれか１項に記載のソフトルアーにおいて、
前記インナーコアの前記口側部分、腹側部分および尾側部分の少なくとも１つが、係合金具取付用孔を有しており、
係合金具によって、カップ、バグカップ、ハネ、リップのいずれかが前記インナーコアに取り付けられていることを特徴とするソフトルアー。
【請求項１０】
請求項１乃至９のいずれか１項に記載のソフトルアーにおいて、
前記インナーコア挿入孔が着脱可能な蓋部で塞がれていることを特徴とするソフトルアー。
【請求項１１】
請求項１０に記載のソフトルアーにおいて、
前記蓋部が、錘として機能することを特徴とするソフトルアー。
【請求項１２】
インナーコアを具えるソフトルアーの製造方法において、
軟質の素材からなる中空ソフトボディを、スラッシュ成形またはローテンション成形によって成形するステップであって、前記中空ソフトボディにインナーコア挿入孔を設けるステップと、
前記インナーコアを、前記インナーコア挿入孔から前記中空ソフトボディに挿入するステップと、
ヒートン金具を、前記中空ソフトボディを介して前記インナーコアに固定するステップと、
を具えることを特徴とするソフトルアーの製造方法。
【請求項１３】
請求項１２に記載のソフトルアーの製造方法において、
前記ヒートン金具をインナーコアにコアに固定するステップが、前記ヒートン金具をオプション部品を介して前記インナーコアに固定するステップを含むことを特徴とするソフトルアーの製造方法。
【請求項１４】
請求項１３に記載のソフトルアーの製造方法において、
ユーザが、前記ヒートン金具を前記オプション部品を介してインナーコアに固定するステップを行うことを特徴とするソフトルアーの製造方法。
【請求項１５】
請求項１２乃至１４のいずれか１項に記載のソフトルアーの製造方法において、
前記インナーコアが、  
細長い棒状の芯材と、
前記芯材の両端に配置された口側部分および尾側部分と、
前記口側部分と尾側部分の間から下方に延在する腹側部分とを具え、
前記ヒートン金具を固定するステップにおいて、前記口側部分、尾側部分および腹側部分のそれぞれに前記ヒートン金具を固定することを特徴とするソフトルアーの製造方法。
【請求項１６】
請求項１５に記載のソフトルアーの製造方法が、
前記口側部分と尾側部分と腹側部分との各々に、ヒートン金具取付用孔を設けるステップを具えることを特徴とするソフトルアーの製造方法。
【請求項１７】
請求項１５または１６のいずれか１項に記載のソフトルアーを製造する方法において、
前記中空ソフトボディを成形するステップにおいて、前記インナーコアの前記口側部分と腹側部分と尾側部分と前記中空ソフトボディが接する少なくとも１箇所において、前記中空ソフトボディに陥凹部を設けることを特徴とするソフトルアーの製造方法。
【請求項１８】
請求項１２乃至１７のいずれか１項に記載のソフトルアーの製造方法が、
前記ヒートン金具のリング部に、釣り針フックを取り付けるステップを具えることを特徴とするソフトルアーの製造方法。
【請求項１９】
請求項１５乃至１７のいずれか１項に記載のソフトルアーの製造方法が、さらに、
前記インナーコアの前記口側部分、腹側部分および尾側部分の少なくとも１つに、係合金具取付用孔を設けるステップと、
係合金具をオプション部品を介して前記係合金具取付用孔に挿入し、前記オプション部品を前記インナーコアに取り付けるステップと、を具えることを特徴とするソフトルアーの製造方法。
【請求項２０】
請求項１７に記載のソフトルアーの製造方法において、
前記オプション部品を前記インナーコアに取り付けるステップが、ユーザにより行われることを特徴とするソフトルアーの製造方法。
【請求項２１】
請求項１２乃至２１のいずれか１項に記載のソフトルアーの製造方法が、さらに、前記インナーコア挿入孔を着脱可能な蓋部で塞ぐステップを具えることを特徴とするソフトルアーの製造方法。
【発明の詳細な説明】
【技術分野】
【０００１】
本発明は、ソフトルアーに関するものであり、様々なルアーのオプション部品を取り付けることができるインナーコアを中に具えた中空のソフトルアーに関する。
【背景技術】
【０００２】
ルアーにおいて、軟質の部材から形成されたソフトルアーは、一般にハードルアーと比べて魚が違和感を覚えず触感が好ましいため、食いつき性能に優れている。特に、中空のソフトルアーは食いつきがよく、さらに耐久性にも優れている。しかしながら、軟質の特に中空のボディのルアーは、カップやペラなどの硬質のオプション部品を取り付けることができないという問題があった。
【０００３】
また、従来から、ユーザは、ターゲットとなる魚の種類に応じて、様々な種類のルアーを用意しなければならず、魚の種類や場所等の条件に応じて構成の異なるルアーを数多く用意しなければならなかった。
【０００４】
ルアーに設けるオプション部品としては、カップ、ハネ、ペラなどが存在し、これにより所望のルアーの動きを実現することができるが、メーカーやユーザが自由にこれらの部品の取付や取り替えをすることができるようなソフトルアーは存在しなかった。そのため、ユーザは予めこれらのオプション部品が設けられたルアーを購入することが必要となり、さらに数多くのルアーを揃えなければならなかった。
【０００５】
釣り針をはじめ、さまざまなオプション部品をルアーに取り付けることを可能とする手段としては、インナーコアを中に設けて、係合用金具によってオプション部品をインナーコアに取り付ける解決方法が考えられる。例えば実開昭５９−１１６７４（特許文献１）においては、硬質の熱可塑性樹脂材で形成された外表体ボディの内部に芯材が配置されている硬質ルアーが開示されている。
【０００６】
また、特開２０１０−７５１６７（特許文献２）においては、金属板芯材の周囲に軟質樹脂のボディがモールドされた中実のソフトルアーが開示されている。この金属板芯材は、背にラインアイと、尾と腹にフックアイを有しており、背、腹、尾において釣り針等の部品を係合することを可能とする。
【先行技術文献】
【特許文献】
【０００７】
【特許文献１】実開昭５９−１１６７４号公報
【特許文献２】特開２０１０−７５１６７号公報
【０００８】
しかしながら、特許文献１および２の構成においては、フックアイやラインアイなどの係合用金具がボディと一体に形成されているため、ボディの成形時にカップやペラなどのオプション部品をルアーに取り付けなければならず、ユーザが製品を購入した後に、オプション部品を付けたり取り替えたりできる構成ではなかった。
【０００９】
さらに、特許文献１の硬質ルアーでは、釣り針係合フックが外表体を貫通して芯材に固定されており、このような硬質ルアーは耐久性がなく、とくに外表体（ボディ）と係合フックの固定部分において脆くなるという問題があった。
【００１０】
また、特許文献２のソフトルアーは、芯材の周りに樹脂をモールドする構成のため、製造が面倒であり、中に入れる芯材や錘等の自由度がないという問題がある。例えば、このソフトルアーは中実で中に錘がモールドされているため、水中に沈めて使用する構成であり、水面近くで浮きながら動かすように使用することはできない。
【００１１】
したがって、本発明の目的は、耐久性に優れるとともに、ユーザが様々なオプション部品を取り付けることができて、様々な条件で使用することのできる汎用性の高い中空のソフトルアーを提供することである。さらに、本発明は、このようなソフトルアーを容易にコスト効率良く製造する方法を提供することも、その目的としている。
【発明の概要】
【００１２】
上記目的を達成するために、本発明のソフトルアーは、中空ソフトボディとインナーコアとを具え、中空ソフトボディが、インナーコア挿入孔を有し、インナーコアが、中空ソフトボディ内に配置されて、中空ソフトボディと接していることを特徴とする。このソフトルアーは、ヒートン金具が、中空ソフトボディを介して前記インナーコアに固定されており、インナーコアが、ヒートン金具により中空ソフトボディに固定されるように構成することができる。
【００１３】
この構成により、本発明のソフトルアーは、中空のソフトボディ内にインナーコアを有することで、ヒートン金具などの係合用金具により様々な部品をこのインナーコアに取り付けることが可能となる。
【００１４】
また、中空ソフトボディがインナーコア挿入孔を有することにより、インナーコアを孔から挿入するだけで、比較的容易に中空ボディ内に配置して製造することができる。さらに、使用時には中空ソフトボディ内にたまった水を、このインナーコア挿入孔から排水させることが可能となる。
【００１５】
また、本発明のソフトルアーは、中空のソフトボディであることにより、魚の食いつきがよく、耐久性に優れるとともに、水面近くで浮くように使用することもできるし、おもりを設けて水中で使用することも可能となる。
【００１６】
このヒートン金具は、オプション部品を介してインナーコアに取り付けて、オプション部品がインナーコアに固定されるように構成することができる。これにより、カップ、ハネ、プロペラ等のオプション部品を、使用目的に応じて後から取り付けることが可能となる。また、メーカーのみならず、エンドユーザがオプション部品をヒートン金具によって固定することが可能となり、ユーザにとって、より汎用性の高いルアーが実現する。
【００１７】
インナーコアの構成としては、細長い棒状の芯材と、芯材の両端に配置された口側部分および尾側部分と、この口側部分と尾側部分の間から下方に延在する腹側部分とを具え、口側部分、尾側部分および腹側部分のそれぞれにおいて、インナーコアと中空ソフトボディとが当接するように構成することができる。この口側部分、尾側部分および腹側部分のそれぞれに、ヒートン金具を固定することができる。
【００１８】
この構成によって、釣り針やラインの他にも、カップやハネ、プロペラなどのオプション部品を口側部分、尾側部分および腹側部分のそれぞれに入れ替え自由に取り付けることが可能となる。ヒートン金具は、オプション部品を介して口側、腹側、尾側の各部分に取り付けることが可能であり、ヒートン金具を抜くことで、オプション部品の交換や他の部品との入れ替えが可能である。この作業は、ユーザが行うことができる。
【００１９】
インナーコアにおける口側部分、尾側部分および腹側部分の各々には、ヒートン金具取付用孔を設けることができる。このヒートン金具取付用孔により、ヒートン金具を容易にインナーコアに挿入して固定することが可能となる。
【００２０】
中空ソフトボディは、インナーコアの口側部分と尾側部分と腹側部分と接する場所の少なくとも１箇所において、内側に凹んだ陥凹部を有するように構成することができる。この陥凹部において、中空ソフトボディとインナーコアのそれぞれの部分とが接触するように構成することができ、ヒートン金具を中空ソフトボディの正しい位置で貫通させてインナーコアに固定することが可能となる。すなわち、インナーコアを所定の位置でソフトボディ内に固定することが容易に可能となる。
【００２１】
ヒートン金具のリング部には、釣り針フックをはじめ、所望のオプション部品を取り付けることができる。
【００２２】
インナーコアの口側部分、腹側部分および尾側部分の少なくとも１つに、さらに係合金具取付用孔を設けて、係合金具によってカップ、バグカップ、ハネ、リップのいずれかをインナーコアの口側部分に固定することもできる。この係合金具によるオプション部品の固定も、同様にユーザが行うことができる。
【００２３】
中空ソフトボディのインナーコア挿入孔は、着脱可能な蓋で塞ぐように構成することができる。着脱可能な蓋とすることにより、使用時に中に溜まった水を容易に排出させることができる。またこの着脱可能な蓋を錘として構成することにより、中空ソフトボディのルアーを水中内に沈めることも可能である。
【００２４】
本発明のルアーの製造方法は、軟質の素材からなる中空ソフトボディを、スラッシュ成形またはローテンション成形によって成形するステップであって、中空ソフトボディにインナーコア挿入孔を設けるステップと、インナーコアを、インナーコア挿入孔から前記中空ソフトボディに挿入するステップと、ヒートン金具を、中空ソフトボディを介してインナーコアに固定するステップと、を具えることを特徴とする。
【００２５】
本発明のソフトルアーの製造方法は、ボディの成形時にインナーコアをボディ内に配置しなくてよいことを大きな特徴とする。これは、インナーコア挿入孔を中空ソフトボディに設けることによって可能となる。ボディ成形時にインナーコアを配置しなくてよいため、ボディ成形の効率が上がり、コスト効率にも優れることになる。さらに、ボディ成形後にインナーコアを挿入できることにより、様々な形状や種類のインナーコアを選択して挿入することが可能となる。このボディの成形と、インナーコアの挿入は、別の場所で行うことも可能となる。
【００２６】
また、本発明の製造方法は、インナーコアを中空ソフトボディ内に挿入するステップと、ヒートン金具をインナーコアに固定するステップが別の工程であり、同時に行う必要がないことを大きな特徴とする。つまり、後からヒートン金具を固定できることにより、目的・用途に応じた様々なオプション部品を、ヒートン金具を貫通させてインナーコアに固定することができる。
【００２７】
したがって、ヒートン金具をインナーコアにコアに固定するステップが、ヒートン金具をオプション部品を介してインナーコアに固定するステップを含むことができる。さらに、このヒートン金具をオプション部品を介してインナーコアに固定するステップを、ユーザが行うことも可能である。これにより、メーカーだけでなくエンドユーザが、目的や必要に応じた様々なオプション部品を取り付けることが可能となる。
【００２８】
本発明のソフトルアーの製造方法では、本発明のソフトルアーと同様に、インナーコアが、細長い棒状の芯材と、芯材の両端に配置された口側部分および尾側部分と、この口側部分と尾側部分の間から下方に延在する腹側部分とを具え、ヒートン金具を固定するステップにおいて、前記口側部分、尾側部分および腹側部分のそれぞれに前記ヒートン金具を固定することができる。
【００２９】
口側部分、尾側部分、および腹側部分の各々に、ヒートン金具取付用孔を設けるステップを含むこともできる。
【００３０】
本発明のソフトルアーの製造方法は、中空ソフトボディを成形するステップにおいて、インナーコアの口側部分と腹側部分と尾側部分とに接する少なくともか１箇所において、陥凹部を設けることができる。上述したように、この陥凹部において、中空ソフトボディとインナーコアが当接してヒートン金具により固定される。
【００３１】
また、ヒートン金具のリング部に、釣り針フックを取り付けるステップを含むことができる。
【００３２】
本発明の製造方法は、さらに、インナーコアの口側、腹側、尾側の少なくとも１つの部分に、係合金具取付用孔を設けるステップと、係合金具をオプション部品を介して係合金具取付用孔に挿入し、オプション部品をインナーコアに固定するステップと、を具えることができる。これにより、オプション部品を、後からインナーコアに固定することが可能となる。また、オプション部品を前記インナーコアに固定するステップを、ユーザが行うことも可能であり、商品を購入したユーザが、後からオプション部品を取り付けることも可能となる。
【００３３】
本発明のソフトルアーの製造方法は、さらに、インナーコア挿入孔を着脱可能な蓋部で塞ぐステップを具えることができる。この蓋部は、ユーザによって着脱できるように構成されている。
【発明の効果】
【００３４】
上述のように、本発明のソフトルアーはインナーコア挿入孔を具える構成によって、メーカー並びにユーザが所望のオプション部品をあとからヒートン金具によって固定することができることを大きな特徴とする。さらに、ヒートン金具を抜くことによって、オプション部品の交換や入れ替えが可能となる。
【００３５】
また、ソフトルアーの製造方法においては、ソフトボディの成形と、インナーコアの挿入と、ヒートン金具の固定を同時に行わなくてよいため、それぞれの工程を別の場所で行うことが可能となる。また、これらのステップを別に行うことにより、簡易でコスト効率がよい製造が可能となるとともに、様々なオプションに応じた製造が可能となる。さらに、オプション部品の取付は、ユーザの使用目的に応じて、ユーザが行うことも可能である。
【００３６】
このようにして、従来では不可能であった様々なハード部品のソフトルアーへの取り付けを、本願発明では、低コストで様々なオプションに対応可能に実現している。本発明のソフトルアーは、ブラックバスや、なまずをはじめ、多くの種類の魚を釣り上げるのに適している。
【図面の簡単な説明】
【００３７】
【図１】図１は、本発明のソフトルアーに係る中空ソフトボディの断面図である。
【図２】図２は、図１に示す中空ソフトボディにインナーコアが挿入されたソフトルアーの断面図である。
【図３】図３ａ−３ｃは、本発明のソフトルアーに挿入されるインナーコアの各側面図である。
【図４】図４ａ−４ｄは、オプション部品を取り付けた状態の本発明のソフトルアーを示す。
【図５】図５は、中空ソフトボディに陥凹部を具える本発明のソフトルアーの断面図である。
【図６】図６は、インナーコア挿入孔に蓋部が取り付けられた本発明のソフトルアーの断面図である。
【図７】図７は、本発明のソフトルアーの成形用の型の断面図である。
【発明を実施するための形態】
【００３８】
本発明に係るソフトルアーの実施形態を図面を参照して以下に説明する。図１は、本発明におけるソフトルアー１の例示的な中空ソフトボディ１１を示す。中空ソフトボディ１１は、軟質系の樹脂を型に流し込んで成形される。中空ソフトボディの底面に、インナーコア挿入孔１２が形成されている。図示する例ではソフトボディの底面に形成されているが、このインナーコア挿入孔１２は、ソフトボディの他の部分に形成することもできる。
【００３９】
図２は、図１の中空ソフトボディ１１にインナーコア２１が挿入されている状態を示す。インナーコア２１は、硬質のプラスチック等で形成されており、口側部分２２、腹側部分２３、および尾側部分２４において中空ソフトボディ１１と接している。後に説明するように、口側部分２２、腹側部分２３、および尾側部分のそれぞれにおいて、ヒートン金具が中空ソフトボディ１１を介してインナーコア２１に固定されて、インナーコア２１が中空ソフトボディ１１に固定されることになる。
【００４０】
図３ａ−３ｃに、インナーコア２１の各側面図を示している。インナーコア２１は、細長い棒状の芯材２７の両端に、口側部分２２と尾側部分２４が設けられている。また、この口側部分２２と尾側部分２４の間から下方に向けて腹側部分２３が延在している。
【００４１】
口側部分２２は、中空ソフトボディ１１の頭部と口部分の形状に沿うような三角形状をしている。口側部分２２が、中空ソフトボディ１１の頭と口の部分の形状に沿うことにより、インナーコア２１と中空ソフトボディ１１がより大きな面積で接することになり、インナーコア２１が中空ソフトボディ内で安定して固定されることになる。
【００４２】
芯材２７における口側部分２２と反対側の端部には、尾側部分２４が設けられている。尾側部分２４は、中空ソフトボディの尾側端部の形状に沿うような形状をしている。図２に示すように、尾側部分２４は、中空ソフトボディ１１と、中空ソフトボディの尾側の曲線に沿うように接している。これにより、インナーコア２１が、中空ソフトボディ内でより安定することになる。
【００４３】
インナーコア２１の芯材２７のほぼ中央から下方に、腹側部分２３が延在している。図２に示すように、インナーコア２１が挿入された状態で、この腹側部分２３は中空ソフトボディ１１の腹部分と近接している。
【００４４】
口側部分２２、腹側部分２３、および尾側部分２４のそれぞれにおいて、ヒートン金具が、中空ソフトボディ１１を介してインナーコア２１に取り付けられる。図示する例では、インナーコアの腹側部分２３は１箇所だけであるが、腹側部分を複数設けることができる。また、腹側部分２３の反対側で中空ソフトボディ１１の背側に近接するように、インナーコア２１に背側部分を１以上設けることも可能である。
【００４５】
図３ａに示す例では、口側、腹側、および尾側のそれぞれの部分２２、２３、２４に、ヒートン金具取付用孔２５が形成されている。各部分のヒートン金具取付用孔２５に、中空ソフトボディ１１を介してヒートン金具３１を取り付けることになる。
【００４６】
この構成により、本願発明においては、ヒートン金具３１による固定の工程を、中空ソフトボディの成形やインナーコアの挿入の後で行うことが可能となる。これにより、ユーザが希望するオプション部品を後で注文に応じて固定することが可能となるし、ユーザ自身がヒートン金具を固定して所望のオプション部品を取り付けることも可能となる。
【００４７】
このヒートン金具は、そのリング部に釣り糸や釣り針を取り付けることができ、また図４ａ−４ｄに示すようなオプション部品を取り付けることもできる。図４ａ−４ｄには、様々なオプション部品が取り付けられた、本発明のソフトルアー１を示している。バグカップ、ペラ、ハネ、リップなどの各オプション部品は、ヒートン金具３１によってインナーコア２１の口側部分２２または尾側部分２４に取り付けられている。図示されていないが、腹側部分２３にオプション部品を取り付けることも可能である。
【００４８】
オプション部品を取り付ける場合、ヒートン金具３１または係合金具３２によってオプション部品をインナーコア２１に取り付けることができる。図４ａの例では、ヒートン金具３１と係合金具３２によって、バグカップ４１がインナーコア２１の口側部分に取り付けられている。この場合、図３ａに示すように、係合金具取付用孔２６が口側部分２２に設けられている。図３ａの例では、口側部分２２にのみ係合用取付用孔２６が設けられているが、これを腹側部分２４または尾側部分２５に設けることもできる。
【００４９】
図５に示す例では、中空ソフトボディ１１は、インナーコア２１の口側部分２２、腹側部分２３、および尾側部分２４と接する部分のそれぞれに、内側に凹んだ陥凹部１３、１４、１５が設けられている。このソフトボディの陥凹部１３、１４、１５が、インナーコア２１の対応する部分２２、２３、２４とそれぞれ接することによって、インナーコア２１が中空ソフトボディ１１内でより安定することになる。また、これらの陥凹部を通してヒートン金具や係合金具が挿入されるため、陥凹部は、ヒートン金具を中空ボディを貫通させる際の目安としても機能することになる。特に、ユーザが自身で金具を固定する場合に都合がよい。
【００５０】
さらに、中空ソフトボディ１１に設けられた陥凹部１３、１４、１５は、中空ソフトボディ１１とインナーコアとの固定をより高めるだけでなく、ヒートン金具の貫通部分において、中空ソフトボディが脆弱にならないように機能し、中空ソフトボディの耐久性をより高めることができる。
【００５１】
図６に示す例では、中空ソフトボディ１１のインナーコア挿入孔１２が、着脱可能な蓋部５１で塞がれている。着脱可能な蓋部５１は、ユーザが着脱できるように構成されており、これを外すことで、使用時に中に溜まった水を抜くことが可能である。蓋部５１は、様々な素材で形成することが可能である。ルアーが水面近くに浮かぶように、軽い素材で構成することも可能であり、水中に沈むように、亜鉛等の金属製の錘として構成することも可能である。
【００５２】
次に、本願発明に係るソフトルアーの製造方法について簡潔に説明する。本願発明のソフトルアーの中空ソフトボディ１１は、典型例では、ポリ塩化ビニルなどのソフトビニルから製作される。また、他の軟質系の樹脂を成形して製作することも可能である。
【００５３】
図７は、中空ソフトボディ１１の成形用の金型の一例を示している。図７の金型６２は、中空ソフトボディ１１のローテーション成形またはスラッシュ成形用の金型として構成されている。
【００５４】
図示した例では、一般的なローテーション成型またはスラッシュ成形によって、注入した原料を一定の厚みでルアーの魚の形状に成形することになる。この成形工程において、インナーコア挿入孔を形成することも可能であるし、ソフトボディの成形後にインナーコア挿入孔を設けることも可能である。金型の構成によって、成形の工程において、ルアーの両目部分のくぼみや、陥凹部１３、１４、１５を形成することも可能である。
【００５５】
図７では、インナーコア挿入孔１２の部分を原料挿入口６３として利用する金型を示したが、本発明はこれに限定されず、他の構成の金型を使用することも可能である。
【００５６】
次いで、中空ソフトボディ１１に形成したインナーコア挿入孔１２から、インナーコア２１を挿入するステップが続く。中空ソフトボディ１１は弾性があるため、インナーコア挿入孔１２の直径は、図３ｃに示すインナーコア２１の上下の高さよりも小さく構成することができる。このインナーコア２１は、ＡＢＳ樹脂、ポリプロピレン等の硬質の材料から形成することができる。
【００５７】
インナーコア２１の中空ソフトボディ１１への挿入後に、ヒートン金具３１を中空ソフトボディ１１を介してインナーコア２１に固定する。上述したように、ヒートン金具３１をインナーコア２１に固定するステップが、オプション部品を介してインナーコア２１に固定させるステップを含むことができ、これはエンドユーザが行うことも可能である。
【００５８】
ヒートン金具３１には、釣り針フックやオプション部品などの様々な部品を取り付けることができる。これらの部品は、ヒートン金具のリング部に取り付けてもよいし、板状の部品であれば、ヒートン金具を貫通させて取り付けることもできる。
【００５９】
上述した部品は、ヒートン金具３１の他にも、ねじや釘等の係合金具３２で固定可能であり、図４ａに示すように、ヒートン金具３１と係合金具３２を併用することもできる。この係合金具３２を挿入するための係合金具取付用孔２６を、インナーコアの口側部分２２、腹側部分２３、および尾側部分２４の少なくとも１つに形成することができる。
【００６０】
インナーコア挿入孔１２に、着脱可能な蓋部５１が取り付けられる。上述したように、この蓋部５１は軽量な材料で構成してもよいし、錘として機能する重量のある亜鉛等の金属で構成することも可能である。
【００６１】
本願発明の製造方法においては、中空ソフトボディを成形した後、またはインナーコアを中空ソフトボディを挿入した後に、中空ソフトボディを任意の色で着色することができる。また着色とともに、ルアーの眼を形成するように、シールを貼ったり絵を描いたりすることもできる。
【００６２】
本願発明のソフトルアーは、対象となる魚の大きさに応じて、中空ソフトボディとインナーコアのサイズを決めることができる。
【００６３】
以上、図面を参照して本発明のインナーコア付き中空ソフトルアーと、その製造方法を詳細に説明したが、本発明に係るソフトルアーとこの製造方法は、図示した実施例のみに限定されない。当業者は、特許請求の範囲に示した本発明の範囲を逸脱せずに、本発明のソフトルアーとこの製造方法に変形を加えることができることを理解すべきである。
【図１】
2018099104.tif 000003
【図２】
2018099104.tif 000004
【図３】
2018099104.tif 000005
【図４】
2018099104.tif 000006
【図５】
2018099104.tif 000007
【図６】
2018099104.tif 000008
【図７】
2018099104.tif 000009